【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
画像を表示する表示手段と、
前記表示手段が前記画像を表示する領域の少なくとも一部の領域における発光輝度を変更可能な発光手段と、
前記画像における関心領域の指定を受け付ける領域取得手段と、
前記画像において前記関心領域を含む第１領域に対応する前記発光手段の発光輝度値は低下させず、前記第１領域を除外した領域である第２領域に対応する前記発光手段の発光輝度値を低下させる制御手段と、
前記第２領域において前記第１領域から所定の範囲内であり前記第１領域に隣接している境界領域における前記画像の画素値を低下させる画像補正手段と、
を備えることを特徴とする画像表示装置。
【請求項２】
前記画像補正手段は、前記表示手段の発光特性と前記境界領域における前記画像の画素値とに基づいて、前記境界領域における前記画像の画素値の低下量を取得することを特徴とする請求項１に記載の画像表示装置。
【請求項３】
前記制御手段は、前記関心領域に含まれる画素に関する情報が変化することを契機として、前記第２領域に対応する領域の発光輝度を変更することを特徴とする請求項１または２に記載の画像表示装置。
【請求項４】
前記表示手段における前記画像の表示態様を制御する画像表示制御手段をさらに備え、前記制御手段は、前記表示態様が所定の表示態様の場合、前記画像表示制御手段による前記第２領域に対応する領域の発光輝度の制御を規制することを特徴とする請求項１から３のいずれか一項に記載の画像表示装置。
【請求項５】
前記制御手段は、前記表示態様が、前記関心領域内で画像が操作される表示態様の場合、前記画像表示制御手段による前記第２領域に対応する領域の発光輝度の制御を規制することを特徴とする請求項４に記載の画像表示装置。
【請求項６】
前記発光手段は、前記発光輝度を変更可能な複数の発光素子を有し、
前記制御手段は、前記複数の発光素子のうち一の発光素子による発光の影響が及ぶ発光影響領域が前記関心領域と重なる面積に応じた発光輝度で、前記発光影響領域が前記関心領域と重なる前記一の発光素子を発光させることを特徴とする請求項１から５のいずれか一項に記載の画像表示装置。
【請求項７】
前記関心領域に基づいて、前記第１領域及び前記第２領域を決定する制御領域取得手段をさらに備えることを特徴とする請求項１から６のいずれか一項に記載の画像表示装置。
【請求項８】
前記画像は医用画像であり、前記関心領域は前記医用画像における診断領域であることを特徴とする請求項１から７のいずれか一項に記載の画像表示装置。
【請求項９】
発光輝度を制御可能な画像表示手段に表示された画像における関心領域の指定を受け付けるステップと、
前記画像において前記関心領域を含む第１領域を除外した領域である第２領域を取得するステップと、
前記画像表示手段に、前記第１領域に対応する領域の発光輝度は低下させず、前記第２領域に対応する領域の発光輝度を低下させるステップと、
前記第２領域において前記第１領域から所定の範囲内であり前記第１領域に隣接している境界領域における前記画像の画素値を低下させるステップと、
を有することを特徴とする画像表示方法。
【請求項１０】
画像を表示する表示手段が前記画像を表示する領域の少なくとも一部の領域における発光輝度を制御可能な発光手段を制御する制御装置であって、
前記画像においてユーザが指定した関心領域を含む第１領域に対応する前記発光手段の発光輝度値は低下させず、前記第１領域を除外した領域である第２領域に対応する前記発光手段の輝度値を低下させる制御手段と、
前記第２領域において前記第１領域から所定の範囲内であり前記第１領域に隣接している境界領域における前記画像の画素値を低下させる画像補正手段と、
を備えることを特徴とする制御装置。
【請求項１１】
画像を表示する表示手段が前記画像を表示する領域の少なくとも一部の領域における発光輝度を制御可能な発光手段を制御する制御方法であって、
前記画像においてユーザが指定した関心領域を含む第１領域に対応する前記発光手段の発光輝度値は低下させず、前記第１領域を除外した領域である第２領域に対応する前記発光手段の輝度値を低下させるステップと、
前記第２領域において前記第１領域から所定の範囲内であり前記第１領域に隣接している境界領域における前記画像の画素値を低下させるステップと、
を有することを特徴とする制御方法。
【請求項１２】
請求項９または１１に記載の方法の各ステップをコンピュータに実行させるためのプログラム。
【手続補正２】
【補正対象書類名】明細書
【補正対象項目名】０００６
【補正方法】変更
【補正の内容】
【０００６】
上記の課題を解決するために、本発明の画像表示装置は、画像を表示する表示手段と、前記表示手段が前記画像を表示する領域の少なくとも一部の領域における発光輝度を変更可能な発光手段と、前記画像における関心領域の指定を受け付ける領域取得手段と、前記画像において前記関心領域を含む第１領域に対応する前記発光手段の発光輝度値は低下させず、前記第１領域を除外した領域である第２領域に対応する前記発光手段の発光輝度値を低下させる制御手段と、前記第２領域において前記第１領域から所定の範囲内であり前記第１領域に隣接している境界領域における前記画像の画素値を低下させる画像補正手段と、を備えることを特徴とする。
【手続補正３】
【補正対象書類名】明細書
【補正対象項目名】０００７
【補正方法】変更
【補正の内容】
【０００７】
本発明の画像表示方法は、発光輝度を制御可能な画像表示手段に表示された画像における関心領域の指定を受け付けるステップと、前記画像において前記関心領域を含む第１領域を除外した領域である第２領域を取得するステップと、前記画像表示手段に、前記第１領域に対応する領域の発光輝度は低下させず、前記第２領域に対応する領域の発光輝度を低下させるステップと、前記第２領域において前記第１領域から所定の範囲内であり前記第１領域に隣接している境界領域における前記画像の画素値を低下させるステップと、を有することを特徴とする。
【手続補正４】
【補正対象書類名】明細書
【補正対象項目名】０００８
【補正方法】変更
【補正の内容】
【０００８】
本発明の制御装置は、画像を表示する表示手段が前記画像を表示する領域の少なくとも一部の領域における発光輝度を制御可能な発光手段を制御する制御装置であって、前記画像においてユーザが指定した関心領域を含む第１領域に対応する前記発光手段の発光輝度値は低下させず、前記第１領域を除外した領域である第２領域に対応する前記発光手段の輝度値を低下させる制御手段と、前記第２領域において前記第１領域から所定の範囲内であり前記第１領域に隣接している境界領域における前記画像の画素値を低下させる画像補正手段と、を備えることを特徴とする。
本発明の制御方法は、画像を表示する表示手段が前記画像を表示する領域の少なくとも一部の領域における発光輝度を制御可能な発光手段を制御する制御方法であって、前記画像においてユーザが指定した関心領域を含む第１領域に対応する前記発光手段の発光輝度値は低下させず、前記第１領域を除外した領域である第２領域に対応する前記発光手段の輝度値を低下させるステップと、前記第２領域において前記第１領域から所定の範囲内であり前記第１領域に隣接している境界領域における前記画像の画素値を低下させるステップと、を有することを特徴とする。
【手続補正５】
【補正対象書類名】明細書
【補正対象項目名】０００９
【補正方法】変更
【補正の内容】
【０００９】
本発明のさらに別の態様は、上記の方法の各ステップをコンピュータに実行させるためのプログラムである。このプログラムは、計算機や表示装置等のハードウェア資源の基本的な制御を行なうために機器に組み込まれるファームウェアの一部として提供されてもよい。このファームウェアは、たとえば、機器内のＲＯＭ（Ｒｅａｄ  Ｏｎｌｙ  Ｍｅｍｏｒｙ）やフラッシュメモリなどの半導体メモリに格納される。このファームウェアを提供するため、あるいはファームウェアの一部をアップデートするために、このプログラムを記録したコンピュータ読み取り可能な不揮発性の記録媒体が提供されてもよく、また、このプログラムが通信回線で伝送されてもよい。